(57)【要約】【課題】携帯電話を大きくすることなく、また頻繁に充電操作をする必要もない携帯可能な電源供給装置を提供する。【解決手段】専ら携帯電話本体を携帯する目的にのみ使用されていたストラップに、充電装置１０と、携帯電話の充電用コネクタに接続されるプラグ４０と、前記プラグ４０に接続される充電コード１６とを設けた。前記充電装置１０は、内部に設けられたバネによって前記充電コード１６を巻き取ることを可能とする自動巻取手段１８と、前記充電コード１６が前記充電装置１０の内部から引き出される時あるいは前記充電装置１０の内部に巻き取られる時に前記充電コード１６によって回転するローターを有する発電手段１２とを備える。【選択図】図１
2007336734.tif 000002
【特許請求の範囲】
【請求項１】
携帯して使用する電子機器用のストラップにおいて、充電装置と、携帯用電子機器のコネクタに接続され電源電池に電力を供給するプラグと、前記プラグに接続される充電コードと、先端にクリップのついた携帯用の紐によって構成され、前記充電装置はバネによって前記充電コードを巻き取ることを可能とした自動巻取手段と、前記充電コードが引き出される時あるいは巻き取られる時の動作によって発電が行われる発電手段とを備えたことを特徴とする携帯型電子機器用ストラップ。
【請求項２】
携帯して使用する電子機器用のストラップにおいて、充電装置と、携帯用電子機器のコネクタに接続され電源電池に電力を供給するプラグと、前記プラグに接続される充電コードと、先端にクリップのついた携帯用の紐によって構成され、前記充電装置は圧電効果によって電力を発生する発電手段を備えたことを特徴とする携帯型電子機器用ストラップ。
【請求項３】
前記発電手段は、圧電素子の接合された振動片と、この振動片に打撃を加えて振動を励起する加振装置とを備え、前記振動片の振動により発生する電力を出力可能としたことを特徴とする請求項２記載の携帯型電子機器用ストラップ。
【請求項４】
前記発電手段は、圧電素子の接合された振動片を、加速度または変位で励振し、自由振動させて発生した電力を出力可能としたことを特徴とする請求項２記載の携帯型電子機器用ストラップ。
【発明の詳細な説明】
【技術分野】
【０００１】
本発明は、携帯して使用する電子機器用のストラップに関するものである。
【背景技術】
【０００２】
従来からコンパクトカメラやデジタルカメラ、携帯電話など手に持って使用する電子機器には、ネックストラップあるいはハンドストラップが取付けられていた。これらのものは、専ら電子機器本体を携帯する目的にのみ使用されている。
【０００３】
一方、これらの電子機器に用いる電源といえば、単三または単四の乾電池（一次電池）、あるいはニッケル水素電池やリチウムイオン電池といった二次電池が使用されている。近年、携帯して使用する電子機器用にはリチウムイオン電池を用いているものが多い。
【０００４】
また、これらの電池を使用する電子機器は携帯して使用するところから小さいほど良いとされる。電子機器本体が小さくなれば、そこに搭載される電池もより小さいものが求められ、蓄積される電気容量は小さくなる。その結果二次電池の場合は、据え置き型充電器によって、頻繁に充電をする必要が生じ、使用する者にとっては煩わしさが増すことになる。
【０００５】
そこで発電機を内蔵した携帯型電子機器が提案されており、手動レバーで発電機を回して発電するリモコン電源供給装置（下記特許文献１参照）や、手で紐を引っ張って発電機を回して発電するリモコンの電源供給装置（下記特許文献２参照）などがある。
【特許文献１】特開２０００−１９７３１０号公報
【特許文献２】特開２００３−０５２０８０号公報
【発明の開示】
【発明が解決しようとする課題】
【０００６】
しかしながら、上記従来の携帯型電子機器の電源供給装置は、いずれの電源供給装置も携帯型電子機器の中に内蔵されているので、携帯型電子機器が大きくなってしまうという新たな問題があるばかりでなく、頻繁に充電のための操作をしなければならず使用する者にとっては煩わしいという問題は解決されていない。
【０００７】
また、携帯型電子機器の機種が変更されると、中の電源供給装置も変更をしなければならないし、当然のことながら、携帯型電子機器を廃却すれば、電源供給装置も廃却されることになり、環境負荷を考えると好ましくない。
【０００８】
本発明は上記問題点に鑑み、発電手段を備えた充電装置を携帯型電子機器に内蔵せずに別体にすることで、携帯型電子機器の小型化を妨げず、また、携帯型電子機器の通常の取り扱いの中で、特別な労力をかけずとも、携帯型電子機器の電源電池を充電することができる携帯型電子機器の電源供給装置を提供することにある。
【課題を解決するための手段】
【０００９】
上記目的を達成するために、本発明によれば、専ら電子機器本体を携帯する目的にのみ使用されていたストラップに、発電手段を備えた充電装置と、携帯用電子機器の充電用コネクタに接続されるプラグと、前記プラグに接続される充電コードとを設けたことを特徴とする。
【００１０】
前記充電装置は、内部に設けられたバネによって前記充電コードを巻き取ることを可能とする自動巻取手段と、前記充電コードが前記充電装置の内部から引き出される時あるいは前記充電装置の内部に巻き取られる時に前記充電コードの動作で発生する回転によって発電を行う発電手段とを備えるようにすると良い。
【００１１】
また、前記充電装置は、圧電素子の接合された振動片と、この振動片に打撃を加えて振動を励起する加振装置とを有し、振動中の前記振動片で発生した電力を出力可能とした発電手段を備えるようにしても良い。
【００１２】
また、前記充電装置は、圧電素子の接合された振動片を、加速度あるいは変位によって励振し、自由振動させて発電を行う発電手段を備えるようにしても良い。
【発明の効果】
【００１３】
本発明による携帯型電子機器用ストラップによれば、電源供給装置をストラップに設けることで、ユーザーが携帯型電子機器を使用する通常の取り扱いの中で電源電池への充電が行われるので、使用する者が充電作業をしているという特別な意識をすることなく、携帯型電子機器の電源電池に充電することができる。
【００１４】
また、携帯型電子機器の小型化を妨げることもなく、携帯型電子機器が機種変更されたりあるいは廃却されたりしても、新しい携帯型電子機器に使用することができるので、経済的にも環境的にも大変好ましい。
【発明を実施するための最良の形態】
【００１５】
本発明による携帯型電子機器用ストラップの実施形態について説明する。図１は携帯型電子機器用ストラップを携帯電話に接続した時の斜視概観図を示す。携帯型電子機器用ストラップ５は、充電装置１２、充電コード１６、プラグ４０、従来のストラップでもある紐５０およびクリップ６０から構成されている。
【００１６】
前記プラグ４０は、携帯電話２の充電用コネクタに差し込まれ、充電装置１０はその内部に発電手段１２を備え、前記プラグ４０に接続された充電コード１６によって、前記発電手段１２の発電した電力を携帯電話２の電源電池に供給する。
【００１７】
前記充電コード１６が前記充電装置１０の内部に巻き取られている状態の前記充電装置１０の分解図を図２に示す。前記充電装置１０は前記発電手段１２の他に、前記充電コード１６を内部に収納するためのスペースと、前記充電装置１０の内部に設けられたバネ１８ａによって前記充電コード１６を巻取ることを可能とする自動巻取手段１８を備えており、前記携帯電話２が使用されない時には、前記充電コード１６は前記充電装置１０の内部に設けられた巻取リール１６ａに巻き取られている。
【００１８】
また前記充電コード１６と前記バネ１８ａの間にはセパレータ１８ｄがあり、前記充電コード１６の被服に傷がつかないよう保護している。
【００１９】
前記発電手段１２は、回転式の発電機１２ａであって、内部に整流器を有するローター１４ｂと、電力を外部へ出す端子１４ｃと、回転軸１４ｄおよび連結軸１４ｅを備えている。前記発電機１２ａは、前記充電装置１０の一方のケース１０ｂに固定されている。回転軸１４ｄは前記巻取リール１６ａの中心に設けられた穴１６ｂが嵌合する。また連結軸１４ｅは、巻取リール１６ａに設けられた小穴１６ｃに係合し、前記バネ１８ａの内側の一端１８ｂと係合している。これによって、前記前記ローター１４ｂと巻取リール１６ａと前記バネ１８ａの内側の一端１８ｂが連結して、相互に回転力を伝え合う。
【００２０】
また、前記発電機１２ａは誘導機であっても直流機であっても良い。直流機の場合は、内部に整流器を有することは当然であるから、それ以外の整流器を更に設ける必要はない。
【００２１】
次にこの実施形態による携帯型電子機器用ストラップの作用について説明する。前記携帯電話２が使用されていない時は、前記充電コード１６は前記充電装置１０の内部に巻取られている。この時、前記携帯電話２を使用するため、ユーザーが自分の手元あるいは耳元に引き寄せる。前記クリップ６０は身体の腰などに止められているので前記充電装置１０は前記紐５０の長さで大きく引き寄せられることはない。前記携帯電話２を、それ以上引っ張ると前記充電コード１６が前記充電装置１０の内部より引き出される。前記充電コード１６が前記充電装置１０の内部から引き出されることで、前記発電手段１２のローター１４ｂが回転し発電される。
【００２２】
ユーザーが前記携帯電話２の使用を終えて、前記携帯電話２を元の位置に戻すと、前記充電コード１６は前記自動巻取手段１８によって充電装置１０の中に収納される。この時、ローター１４ｂが回転し発電される。
【００２３】
発電された電力は整流器によって直流化され、端子１４ｃに接続された前記充電コード１６を通り、前記携帯電話２の電源電池を充電する。
【００２４】
次に本発明による携帯型電子機器用ストラップの別の実施形態について説明する。図３は別の実施形態の携帯型電子機器用ストラップ６を携帯電話２に接続した時の斜視概観図を示す。携帯型電子機器用ストラップ６は、充電装置２０、充電コード４３、プラグ４１、従来のストラップでもある紐５１およびクリップ６１から構成されている。
【００２５】
前記プラグ４１は、携帯電話２の充電用コネクタに差し込まれ、充電装置２０は発電手段２２を備え、前記プラグ４１に接続された充電コード４３によって、前記発電手段２２の発電した電力を携帯電話２の電源電池に供給する。
【００２６】
前記充電装置２０の構成を図４に示す。前記充電装置２０は、前記発電手段２２と整流装置２９とで構成されている。前記発電手段２２は、圧電素子２５ａが接合された振動片２５と、前記振動片２５に衝突する打撃部２３ｄを備え前記振動片２５の一端に設けられた受撃部２５ｂに打撃を加えて振動を励起する加振装置２３とによって構成されている。
【００２７】
前記加振装置２３は重力方向によって回転する回転錘２３ａを備えており、回転錘２３ａは加わる重力の方向が変わる毎に回転し、歯車２３ｂおよび歯車２３ｃを介して前記打撃部２３ｄに打撃力を与える。前記圧電素子２５ａは、前記振動片２５の一端に設けられた受撃部２５ｂが前記打撃部２３ｄによって打撃を加えられ振動することで電力を発生する。
【００２８】
前記充電装置２０は、ユーザーが前記携帯電話２を使用する時、前記携帯電話２の位置姿勢が変化するので、その都度前記回転錘２３ａは回転移動し、それによって前記発電手段２２が電力を発生する。またユーザーが、前記携帯電話２を使用する時だけでなく、前記携帯電話２を持ち歩く時の振れでも前記回転錘２３ａは回転するので、前記発電手段２２は電力を発生する。
【００２９】
発生した電力は前記整流装置２９によって直流化され、前記充電コード４３を通り、前記携帯電話２の電源電池を充電する。
【００３０】
前記充電装置２０に内蔵する前記発電手段２２は、重力の方向の変化によって回転する回転錘２３ａを駆動源とした打撃部２３ｄによって振動片２５を打撃する加振装置２３を用いて発電する方法であったが、加振装置２３を設けず、外部より加わる振動あるいは加速度によって圧電素子あるいは圧電素子の設けられた部材を自由振動させて発電する方法を用いた別の発電手段３２を用いても良い。図３に示す本発明による携帯型電子機器用ストラップの別の実施形態に、この発電手段３２を備えた充電装置３０を用いた場合を、第３の実施形態として、その構成を図５に示す。充電装置３０以外は同じである。
【００３１】
前記充電装置３０は、前記発電手段３２と整流装置３９とで構成されている。前記発電手段３２は、圧電素子３５ａが接合され圧電素子３５ａと一体となって自由振動する振動片３５と、振動片３５の一端に設けられた錘３５ｂと、前記振動片３５の他端を固定する固定枠３４とからなっている。前記固定枠３４は、前記振動片３５の一端に設けられた錘３５ｂが、外部の振動により、許容範囲を越えて大きく振れることがないように、コの字形状のストッパー部分を備えている。
【００３２】
前記発電手段３２は、ユーザーが前記携帯電話２を使用する時や持ち歩く時の振動で、前記振動片３５の一端に設けられている前記錘３５ｂが大きく揺れ動き、前記圧電素子３５ａが湾曲し、この時の湾曲によって電力を発生する。発生した電力は整流装置３９により直流化され、前記充電コード４３を通り、前記携帯電話２の電源電池を充電する。
【００３３】
このように本発明による携帯型電子機器用ストラップによれば、ユーザーが携帯電話を使用する通常の取り扱いの中で、あるいはユーザーが携帯電話を持ち歩くことで、電源電池への充電が行われるので、ユーザーが充電作業をしているという特別な認識をすることなく携帯電話の電源電池が充電されるので、今までのように頻繁に充電をしなければならないといったユーザーにとっては煩わしいことはなくなる。
【００３４】
また電源供給装置としての充電装置が携帯電話の中に内蔵されているのではないため、携帯電話の機種が変更されても使用可能であり、携帯電話も大きくなってしまうという問題もなくなる。
【００３５】
上記実施形態は携帯電話に対する電源供給装置として説明したが、本発明は携帯電話に対する電源供給装置に限定されず、あらゆる携帯型電子機器の電源供給装置に使用することができる。
【図面の簡単な説明】
【００３６】
【図１】本発明による実施形態の携帯型電子機器用ストラップを携帯電話に接続した時の斜視概観図である。
【図２】本発明による実施形態の携帯型電子機器用ストラップの充電装置の分解図である。
【図３】本発明による別の実施形態の携帯型電子機器用ストラップを携帯電話に接続した時の斜視概観図である。
【図４】本発明による別の実施形態の携帯型電子機器用ストラップの充電装置の図である。
【図５】本発明による第３の実施形態の携帯型電子機器用ストラップの充電装置の図である。
【符号の説明】
【００３７】
２  携帯電話
５，６  携帯型電子機器用ストラップ
１０，２０，３０  充電装置
１２，２２，３２  発電手段
１６，４３  充電コード
１８  自動巻取手段
２３  加振装置
２５，３５  振動片
２５ａ，３５ａ  圧電素子
４０，４１  プラグ
５０，５１  紐
６０，６１  クリップ
【図１】
2007336734.tif 000003
【図２】
2007336734.tif 000004
【図３】
2007336734.tif 000005
【図４】
2007336734.tif 000006
【図５】
2007336734.tif 000007